(57)【要約】【課題】ケース部材の形状に基づき第１仕切位置と第２仕切位置とで導光空間を仕切る断面の面積が異なる場合であっても、仕切板を部品として共通化することが可能な遊技機を提供する。【解決手段】スロットマシンは、演出制御に応じて発光する電飾装置を備えており、電飾装置は、ケース部材４１により形成される導光空間Ｓを、第１断面で仕切るように仕切板５１を支持可能な第１支持部４５と、第１断面より大きな面積の第２断面で仕切るように仕切板５１を支持可能な第２支持部４６と、を有している。第１支持部４５及び第２支持部４６は、仕切板５１を支持する支持形状を同サイズとなるように形成されている。【選択図】図４
2019037391.tif 000002
【特許請求の範囲】
【請求項１】
演出制御に応じて発光する電飾装置を備えた遊技機において、
前記電飾装置は、
第１発光源、第２発光源及び第３発光源が設置された発光基板と、
前記発光基板に対向し、前記発光源からの光を透過する透過部を有する透過板と、
前記発光基板と前記透過板とに接続され、前記発光基板と前記透過板との間を覆って前記発光源からの光を前記透過板へ案内する導光空間を形成する側壁部を有するケース部材と、を備え、
前記ケース部材は、
前記第１発光源と前記第２発光源との間で前記導光空間を第１断面で仕切る第１仕切位置において、前記導光空間を仕切る仕切板が着脱可能となるようにその端部を支持可能な第１支持部と、
前記第２発光源と前記第３発光源との間で前記導光空間を前記第１断面とは異なる面積の第２断面で仕切る第２仕切位置において、前記導光空間を仕切る仕切板が着脱可能となるようにその端部を支持可能な第２支持部と、を有し、
前記第１支持部及び前記第２支持部は、仕切板を支持する支持形状が同サイズとなるように形成されている、
ことを特徴とする遊技機。
【請求項２】
前記側壁部は、前記導光空間を形成する空間形成部分と、前記第１支持部を形成する第１支持形成部分と、を有し、前記第１支持形成部分が前記空間形成部分より外方へ突出するように形成されている、
ことを特徴とする請求項１に記載の遊技機。
【請求項３】
前記側壁部は、第１側板と、前記第１側板に対向して配置される第２側板と、を有し、
前記第１支持部及び前記第２支持部は、前記第１側板から前記第２側板に亘って形成され、
前記第１側板に対して前記第２側板は、前記第１支持部に支持された仕切板に平行な平行面に交差する方向の一方側が近づくように傾斜して配置されている、
ことを特徴とする請求項１又は２に記載の遊技機。
【発明の詳細な説明】
【技術分野】
【０００１】
本発明は、遊技機に関する。
【背景技術】
【０００２】
従来、パチンコ機やスロットマシン等の遊技機において、遊技の進行に基づく演出制御により発光させることで、演出を盛り上げる照明装置を備えたものがある。一般に、このような照明装置は、複数のＬＥＤが配置された発光基板、文字や図形等が描かれて発光基板の前面側に配置された正面パネル、及びＬＥＤの光を正面パネルに案内するように発光基板と正面パネルとの間に配置されたハウジングを備えており、ＬＥＤを発光させることで正面パネルを背面側から照明する。また、このような照明装置の中には、ハウジングの内部空間を仕切る仕切り板をハウジングの複数位置に着脱可能となるように構成し、仕切板を取付ける位置を選択的に変更できるものが提案されている（特許文献１参照）。これにより、上記照明装置は、正面パネルのデザインやＬＥＤの発光態様が異なる遊技機の機種の仕様に対応して、仕切板の取付け位置の変更だけで対応でき、照明装置の部品の共通化を可能としている。
【先行技術文献】
【特許文献】
【０００３】
【特許文献１】特許第５７６５５１５号公報
【発明の概要】
【発明が解決しようとする課題】
【０００４】
ところで、特許文献１に記載の遊技機における照明装置は、略直方体の内部空間で形成されているため、仕切板の部品共通化が図れている。しかしながら、照明装置のデザイン性を向上するため、或いは周辺にある部品によるスペース上の問題から、照明装置のハウジングを直方体のような形状で構成できない場合には、仕切板で仕切る幅（断面積）が仕切板の取付位置によって異なるため、仕切板を部品として共通化できないという問題があった。
【０００５】
そこで本発明は、ケース部材の形状に基づき第１仕切位置と第２仕切位置とで導光空間を仕切る断面の面積が異なる場合であっても、仕切板を部品として共通化することが可能な遊技機を提供することを目的とするものである。
【課題を解決するための手段】
【０００６】
本発明に係る遊技機（１）は、
演出制御に応じて発光する電飾装置（３０）を備えた遊技機（１）において、
前記電飾装置（３０）は、
第１発光源（３６ｂ）、第２発光源（３６ｃ）及び第３発光源（３６ｄ）が設置された発光基板（３６）と、
前記発光基板に対向し、前記発光源（３６ｂ、３６ｃ、３６ｄ）からの光を透過する透過部（３３ｂ）を有する透過板（３３）と、
前記発光基板（３６）と前記透過板（３３）とに接続され、前記発光基板（３６）と前記透過板（３３）との間を覆って前記発光源（３６ｂ、３６ｃ、３６ｄ）からの光を前記透過板（３３）へ案内する導光空間（Ｓ）を形成する側壁部（４２）を有するケース部材（４１）と、を備え、
前記ケース部材（４１）は、
前記第１発光源（３６ｂ）と前記第２発光源（３６ｃ）との間で前記導光空間（Ｓ）を第１断面（Ｃ１）で仕切る第１仕切位置（Ｘ）において、前記導光空間（Ｓ）を仕切る仕切板（５１）が着脱可能となるようにその端部（５１ｂ、５１ｃ、５１ｄ）を支持可能な第１支持部（４５）と、
前記第２発光源（３６ｃ）と前記第３発光源（３６ｄ）との間で前記導光空間（Ｓ）を前記第１断面（Ｃ１）とは異なる面積の第２断面（Ｃ２）で仕切る第２仕切位置（Ｙ）において、前記導光空間（Ｓ）を仕切る仕切板（５１）が着脱可能となるようにその端部（５１ｂ、５１ｃ、５１ｄ）を支持可能な第２支持部（４６）と、を有し、
前記第１支持部（４５）及び前記第２支持部（４６）は、仕切板（５１）を支持する支持形状が同サイズとなるように形成されている、ことを特徴とする。
【０００７】
また、本発明に係る遊技機（１）は、
前記側壁部（４２）は、前記導光空間（Ｓ）を形成する空間形成部分（４７）と、前記第１支持部（４５）を形成する第１支持形成部分（４８）と、を有し、前記第１支持形成部分（４８）が前記空間形成部分（４７）より外方へ突出するように形成されている、ことを特徴とする。
【０００８】
また、本発明に係る遊技機（１）は、
前記側壁部（４２）は、第１側板（４７ｃ）と、前記第１側板（４７ｃ）に対向して配置される第２側板（４７ｄ）と、を有し、
前記第１支持部（４５）及び前記第２支持部（４６）は、前記第１側板（４７ｃ）から前記第２側板（４７ｄ）に亘って形成され、
前記第１側板（４７ｃ）に対して前記第２側板（４７ｄ）は、前記第１支持部（４５）に支持された仕切板（５１）に平行な平行面（Ｐ１）に交差する方向（Ｕ）の一方側が近づくように傾斜して配置されている、ことを特徴とする。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
本発明によると、ケース部材の第１支持部及び第２支持部が、それらに支持された仕切板により導光空間を仕切る断面が異なる面積でありながら、支持形状が同サイズに形成されている。これにより、導光空間の異なる仕切位置で断面が異なる形状のケース部材を採用しても、仕切板を部品として共通化することができる。
【図面の簡単な説明】
【００１１】
【図１】本実施形態における遊技機の外観構成を示す斜視図である。
【図２】本実施形態における上扉ユニット及び電飾装置の構成を示す前方側から視た分解斜視図である。
【図３】本実施形態における発光ユニットを前方側から視た分解斜視図である。
【図４】本実施形態における発光ユニットを示す正面図である。
【図５】本実施形態における発光ユニットを示す断面図で、（Ａ）は仕切板が取外された状態を示す図４のＡ−Ａ断面図、（Ｂ）は仕切板単品を示す図４のＡ−Ａ断面図である。
【図６】本実施形態における発光ユニットを示す断面図で、（Ａ）は図４のＡ−Ａ断面図、（Ｂ）は図４のＢ−Ｂ断面図である。
【図７】本実施形態における上扉ユニットを示す図で、（Ａ）は図７（Ｂ）のＣ−Ｃ断面図、（Ｂ）は上扉ユニットの正面図である。
【図８】本実施形態における発光ケースを示す断面図で、（Ａ）は発光ケースを示す図４のＡ−Ａ断面図、（Ｂ）は発光ケースを示す図４のＢ−Ｂ断面図である。
【図９】本実施形態における仕切板の取付けパターンを示す前方側から視た斜視図で、（Ａ）〜（Ｄ）はそれぞれ異なる取付けパターンを示す斜視図である。
【発明を実施するための形態】
【００１２】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、本実施の形態のスロットマシン１を説明する上で、遊技者が対向して着座する側を「前」、その反対側を「後」とし、前側から後側に向かった方向を基準として「左」又は「右」とする。
【００１３】
１．遊技機の全体構成
まず、本発明の実施の形態に係る遊技機としてのスロットマシン１の全体構成について図１に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した筐体１０を備えていると共に、この開口した筐体１０の前面を開閉可能な前扉６０により被覆して構成されている。また、筐体１０の内部には、複数の回転リールとしての第１リールＲ１〜第３リールＲ３を備えたリールユニットＲＵが収められていると共に、このリールユニットＲＵの下部には、メダルの払出装置としてのホッパーユニット（不図示）が収められている。
【００１４】
第１リールＲ１〜第３リールＲ３は、それぞれ外周面が一定の間隔で２１の領域（以下、各領域を「コマ」と記載する）に区画されており、各コマに複数種類の図柄の何れかが配置されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１５】
前扉６０は、上扉ユニット６０Ｕと、下扉ユニット６０Ｌとに上下に分割して構成されており、上扉ユニット６０Ｕは、その中央部から上方部に亘って大型の液晶ディスプレイからなる表示装置６４が設けられていると共に、表示装置６４の下方には、第１リールＲ１〜第３リールＲ３の回転状態及び停止状態を観察可能にする表示窓６３が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓６３を通じて観察できるようになっている。
【００１６】
また、本実施形態のスロットマシン１では、各リールの上段・中段・下段の表示位置の組合せ（例えば中段一列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１７】
前扉６０の下扉ユニット６０Ｌには、演出用の絵柄などを表示する下パネル５５が設けられていると共に、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３などが設けられている。
【００１８】
更に、下扉ユニット６０Ｌには、遊技者がメダルを投入するメダル投入口６９が設けられており、このメダル投入口６９から投入されたメダルは、下扉ユニット６０Ｌの裏側に設けられたセレクタ（不図示）によってカウントされてホッパーユニットへと案内されるようになっている。本実施の形態のスロットマシン１では、遊技者がメダルをメダル投入口６９に投入するか、メダルが規定投入数以上にクレジットされている場合に、シングルベットボタンＢＴを規定投入数と同じ回数押下する操作又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット（不図示）において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００１９】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット（不図示）へ出力するリール停止信号をオン状態からオフ状態に変化させる。
【００２０】
そして、主制御基板ユニットは、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２１】
また、主制御基板ユニットは、第１リールＲ１〜第３リールＲ３を停止させた後に、有効ラインＬｆ上に停止している図柄の組合せに応じて、各種処理を実行する。主制御基板ユニットが実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニットからメダルを払い出す払出処理や、有効ラインＬｆ上に停止している図柄の組合せが遊技者にメダルを消費させることなく１回遊技を実行可能にするリプレイの図柄組合せである場合に、今回の遊技における規定投入数のメダルを投入状態に設定するリプレイ処理等がある。
【００２２】
また、下扉ユニット６０Ｌの下部にはメダル受け皿７２が設けられており、遊技の結果に応じた枚数のメダルがメダル払出口からメダル受け皿７２へ払い出されるようになっている。更に、例えば、遊技機内にクレジットされたメダルが記憶されている状態で、精算ボタンが押下された場合、精算ボタンの押下に伴ってホッパーユニットからクレジット数（クレジットされたメダルの枚数）に相当する枚数のメダルを払い出す精算処理を実行し、メダル払出口からメダル受け皿７２へメダルを払い出す。
【００２３】
更に、前扉６０（特に上扉ユニット６０Ｕ）には、遊技を盛り上げるために音響装置（不図示）、発光装置７５，７６Ｌ，７６Ｒ，８０、演出用の可動役物７１、及び上述した表示装置６４などの複数の演出装置が設けられている。具体的には、表示装置６４の前面には、可動役物としてシャッタ装置７１が設けられており、遊技の進行に応じて左右のシャッタ（可動部材）７１Ｌ，７１Ｒを移動（開閉）させて表示装置６４の画面を遮蔽させたり露出させたりすることができるようになっている。
【００２４】
また、リールユニットＲＵの図柄を観察する表示窓６３の右方には、演出時に遊技者が操作可能なプッシュボタンＳＢが、表示窓６３の左方には、詳しくは後述する遊技演出を行うための電飾装置３０が設けられている。
【００２５】
２．電飾装置を備える上扉ユニットの構成
続いて、本実施形態に係る電飾装置３０を備える上扉ユニット６０Ｕの構成について、図２を用いて説明する。図２は、本実施形態における上扉ユニット６０Ｕ及び電飾装置３０の構成を示す前方側から視た分解斜視図である。
【００２６】
図２に示すように、本実施形態に係る上扉ユニット６０Ｕは、表示装置６４（図１参照）やリールパネル２７等、上扉ユニット６０Ｕを構成する各構成部品が取付けられる枠体２１を有する。リールパネル２７は、透明な合成樹脂製又はガラス製の平板で形成され、表示装置６４の下方に取付けられている。上扉ユニット６０Ｕは、表示装置６４の下方に、枠体２１の下部及び電飾装置の周縁部を覆う下部カバー２２と、電飾装置３０と、を備えている。
【００２７】
下部カバー２２は、中央下部にリール上壁２４ａ、リール上壁２４ａに対向するリール下壁２４ｂ、リール上壁２４ａ及びリール下壁２４ｂの左端を上下に繋ぐリール左壁２４ｃ、リール上壁２４ａ及びリール下壁２４ｂの左端を上下に繋いでリール左壁２４ｃに対向するリール右壁２４ｄを有する、リール枠２４が形成されており、リール枠２４の後端には、貫通穴であるリール開口２５が形成されている（図７（Ｂ）参照）。リール開口２５は、枠体２１に取付けられているリールパネル２７と近接又は接触するように配置されており、リール開口２５により第１リールＲ１〜第３リールＲ３（図１参照）が視認可能となるリールパネル２７の領域が、表示窓６３として形成される。このように、上扉ユニット６０Ｕは、遊技者がリール枠２４、リール開口２５、及び表示窓６３を介して第１リールＲ１〜第３リールＲ３が視認できるように構成されている。また、下部カバー２２は、リール開口２５の左方に貫通穴である電飾開口２２ａが形成されている。
【００２８】
電飾装置３０は、発光基板３６を有する発光ユニット３１、発光基板３６に対向して発光ユニット３１の前方に配置されている拡散シート３２、拡散シート３２の前方に配置されている印刷シート３３（透過板）及び印刷シートの前方に配置されている正面パネル３４を備えている。電飾装置３０は、ねじ２３によって下部カバー２２に締結されている。なお、電飾装置３０単体においては、拡散シート３２、印刷シート３３及び正面パネル３４は固定されておらず、発光ユニット３１が下部カバー２２に固定されることにより発光ユニット３１が拡散シート３２、印刷シート３３及び正面パネル３４を下部カバー２２と挟持して、それぞれが互いに接続されている。
【００２９】
拡散シート３２は、可視光を透過する合成樹脂性のシートであり、表面に形成されている微小な凹凸で透過する光を屈折させることで、発光ユニット３１からの光によって遊技者が感じる眩しさを軽減すると共に、正面パネル３４の後面に照射される光の偏りを軽減するように構成されている。
【００３０】
印刷シート３３は、可視光を透過する合成樹脂により形成され、前面３３ａに文字や図形等が印刷されており、印刷の塗料や形状に応じて、発光ユニット３１からの可視光を透過する透過部３３ｂと、発光ユニット３１からの可視光を遮光する遮光部３３ｃと、を有している。遮光部３３ｃは、例えば印刷シート３３の前面３３ａに遮光可能なインクで印刷された「１」、「２」及び「３」の文字等である。なお、遮光部３３ｃは可視光を全く透過しないものに限定されない。遮光部３３ｃは、遊技者が判別できる程度に透過部３３ｂとの可視光の透過率の差があるものであればよく、半透明やマジックミラー等であってもよい。
【００３１】
正面パネル３４は、平板状のパネル部３４ａを有して、可視光を透過する合成樹脂により形成されており、印刷シート３３の透過部３３ｂを透過した発光ユニット３１からの可視光を遊技者が目視可能にすると共に、印刷シート３３を保護している。
【００３２】
下部カバー２２は、電飾装置３０が取付けられている状態において、図示しないねじによって後方から枠体２１に締結されており、遊技者は、電飾開口２２ａを通して正面パネル３４を目視することができるように構成されている。このように、電飾装置３０は、表示窓６３の左方に配置され、制御基板による演出制御に応じて枠体２１に設けられた発光ユニット３１が後方から拡散シート３２、印刷シート３３及び正面パネル３４を照明して、遊技者が透過部３３ｂを透過した可視光を視認可能とすることにより、印刷シート３３に印刷された文字や図形を浮かび上がらせて、演出を盛り上げるように構成されている。
【００３３】
３．発光ユニットの詳細
続いて、本実施形態に係る発光ユニット３１の詳細について図２乃至図６を用いて説明する。図３は本実施形態における発光ユニット３１を前方側から視た分解斜視図、図４は本実施形態における発光ユニット３１を示す正面図、図５は本実施形態における発光ユニット３１を示す断面図で、（Ａ）は仕切板５１が取外された状態を示す図４のＡ−Ａ断面図、（Ｂ）は仕切板５１単品を示す図４のＡ−Ａ断面図、図６は、本実施形態における発光ユニットを示す断面図で、（Ａ）は図４のＡ−Ａ断面図、（Ｂ）は図４のＢ−Ｂ断面図である。なお、図４において、Ｐ１（平行面）及びＰ２は、後述する発光ケース４１に取付けられている仕切板５１の厚み方向中央の断面に位置する仮想平面である。
【００３４】
図３に示すように、本実施形態に係る発光ユニット３１は、前面３６ａに複数のＬＥＤチップ３６ｂ〜ＬＥＤチップ３６ｄ（発光源）が設置されている発光基板３６、発光基板３６の後面を覆って保護する基板カバー３７、発光基板３６の前方に配置されてＬＥＤチップ３６ｂ〜ＬＥＤチップ３６ｄからの光を拡散シート３２（図２参照）へ案内する導光空間Ｓを形成する発光ケース４１（ケース部材）を備えている。基板カバー３７は、ねじ３８によって発光ケース４１に締結されており、これによって、基板カバー３７及び発光ケース４１が発光基板３６を挟持し、基板カバー３７、発光基板３６及び発光ケース４１が互いに接続されている。
【００３５】
発光基板３６は、前面３６ａが略鉛直に起立して前方を向くように配置されている略長方形のプリント配線板であり、発光基板３６の前面３６ａの左上から右上にかけて、３個のＬＥＤチップ３６ｂ（第１発光源）が直線的に設置され、発光基板３６の前面３６ａの左下から右下にかけて、３個のＬＥＤチップ３６ｄ（第３発光源）が直線的に設置され、ＬＥＤチップ３６ｂとＬＥＤチップ３６ｄとの間には、３個のＬＥＤチップ３６ｃ（第２発光源）が直線的に設置されて、発光基板３６の前面３６ａには、ＬＥＤチップ３６ｂ〜ＬＥＤチップ３６ｄが３×３のマトリクス状に合計９個設置されている。発光基板３６の背面には、発光基板３６と制御基板とを電気的に接続するコネクタ（不図示）が設置されており、制御基板による演出制御に応じてＬＥＤチップ３６ｂ〜ＬＥＤチップ３６ｄがそれぞれ独立した態様で発光可能に構成されている。
【００３６】
発光ケース４１は、発光基板３６と拡散シート３２との間を覆う側壁部４２と、発光基板３６に対向するように配置され、側壁部４２の後方を塞ぐ底板４３と、を有し、側壁部の内面と底板の前面と拡散シート３２の後面とにより、導光空間Ｓが形成されている。また、発光ケース４１は、導光空間Ｓを上下に仕切る仕切板５１が着脱可能となるように支持可能な第１支持部４５及び第２支持部４６と、ねじ２３が発光ケース４１を枠体２１に締結するための締結孔４１ａと、を有し、有底で前方側が開放する箱状に形成されている。また、発光ケース４１は、白色で可視光を遮断する合成樹脂により表面が滑らかになるように一体に形成されており、ＬＥＤチップ３６ｂ〜ＬＥＤチップ３６ｄからの可視光を高い反射率で反射する。
【００３７】
図４に示すように、底板４３は、平板状に形成されていると共に、発光基板３６に対して略平行に近接又は接触するように配置され（図５参照）、ＬＥＤチップ３６ｂに対応する位置に貫通孔４３ｂが、ＬＥＤチップ３６ｃに対応する位置に貫通孔４３ｃが、ＬＥＤチップ３６ｄに対応する位置に貫通孔４３ｄが、形成されている。側壁部４２は、上板４７ａと、上板４７ａに対向して配置されている下板４７ｂと、上板４７ａ及び下板４７ｂに交差する左板４７ｃ（第１側板）と、左板４７ｃに対向して配置されている右板４７ｄ（第２側板）と、からなる空間形成部分４７を有している。
【００３８】
第１支持部４５は、左右に延設されて貫通孔４３ｂと貫通孔４３ｃとの間に形成されており、第２支持部４６は、左右に延設されて貫通孔４３ｃと貫通孔４３ｄとの間に形成されている。即ち、導光空間Ｓは、第１支持部４５に取付けられた仕切板５１によりＬＥＤチップ３６ｂとＬＥＤチップ３６ｃとの間である第１仕切位置Ｘで仕切られ、また、第２支持部４６に取付けられた仕切板５１によりＬＥＤチップ３６ｃとＬＥＤチップ３６ｄとの間である第２仕切位置Ｙで仕切られるように構成されている。
【００３９】
第１支持部４５は、左板４７ｃから右板４７ｄに亘って形成されている平板状の上支持板４５ａ及び下支持板４５ｂを有している。なお、第２支持部４６は、第１支持部４５に対して、上支持板４５ａ、下支持板４５ｂ及び後述するリブ４５ｃ（図５参照）の構成は同一であり、第１支持部４５と同様の構成については図に同一符号を付して説明を省略する。
【００４０】
下支持板４５ｂは、上支持板４５ａに対向するように上支持板４５ａより下方に配置されており、上支持板４５ａと下支持板４５ｂとの間には、仕切板５１が前後方向に着脱される支持溝４５ｄが形成されている。上支持板４５ａ及び下支持板４５ｂは、左板４７ｃから右板４７ｄに亘って形成されると共に底板４３の前面４３ａから前方ヘ向けて連続的に延設されている略長方形の底支持板４５ｅと、左板４７ｃから右方へ延設されている左支持板４５ｆと、を有して、平面視略Ｌ字に形成されている。また、上支持板４５ａと下支持板４５ｂとの間には、上支持板４５ａと下支持板４５ｂとを上下に繋ぐように形成されて、仕切板５１が誤った向きで発光ケース４１に取付けられることを防ぐリブ４５ｃが、右板４７ｄより左板４７ｃに近い位置に形成されている（図５参照）。
【００４１】
図５（Ａ）は、仕切板５１が取外されている状態の発光ユニット３１を、第１支持部４５の上支持板４５ａの下面と下支持板４５ｂの上面との中立面である仮想平面Ｐ１で切断した図４におけるＡ−Ａ断面図（第１仕切位置Ｘにおける断面図）である。
【００４２】
側壁部４２は、第１支持部４５の左端部及び右端部を形成する第１支持形成部分４８と、第２支持部４６の左端部及び右端部を形成する第２支持形成部分４９と、を有しており、図５（Ａ）に示すように、側壁部４２の前端縁４２ａは、略鉛直に起立して遊技者に対抗する仮想平面Ｐ３に沿うように形成されている。仮想平面Ｐ３は、正面方向よりやや右方向（筐体中心方向）に向いているため、側壁部４２は、左側の前後方向が長く、かつ右側の前後方向が短くなるように、形成されている。
【００４３】
第１支持形成部分４８は、第１支持部４５の左端部を形成し、仕切板５１（図５（Ｂ）参照）の左端部を着脱可能に支持する左支持形成部分４８ａと、第１支持部４５の右端部を形成し、仕切板５１の右端部を着脱可能に支持する右支持形成部分４８ｂと、を有する。左支持形成部分４８ａは、底板４３より前方に配置されて底板４３の前面４３ａと略平行に形成されている左前支持面４８ｃと、右方を向くように配置されている左支持面４８ｅと、を有している。右支持形成部分４８ｂは、底板４３より前方に配置されて底板４３の前面４３ａと略平行に形成されている右前支持面４８ｄと、左方を向くように配置されている右支持面４８ｆと、を有している。また、左支持面４８ｅは、左板４７ｃの右面４７ｅより内方に突出しないように、右支持面４８ｆは、右板４７ｄの左面４７ｆより内方に突出しないように構成されている。なお、内方とは、側壁部４２から導光空間Ｓの中心部へ向かう方向である（図４参照）。また、内方へ突出しないとは、内方への突出量が０以下であるもののみに限定されず、ＬＥＤチップ３６ｂ〜ＬＥＤチップ３６ｄが発光した際に、遊技者から見て実質的に突出して見えない程度の突出量（例えば３ｍｍ以内）であればよい。
【００４４】
図５（Ｂ）及び図６（Ａ）に示すように、仕切板５１は、発光ケースと同様の材質により平板状に形成されており、仕切板５１の前端面５１ａは、発光ケース４１に取付けられている状態において、仮想平面Ｐ３と略一致するように形成されている。また、仕切板５１は、発光ケース４１に取付けられている状態において、底板４３の前面４３ａに当接可能な後端面５１ｂ（端部）と、左支持面４８ｅに当接可能な左端面５１ｃ（端部）と、右支持面４８ｆに当接可能な右端面５１ｄ（端部）と、を有する。また、仕切板５１は、仕切板５１の左端部付近から後方へ向けて延設されている左フック部５１ｅと、仕切板５１の右端部付近から後方へ向けて延設されている右フック部５１ｆと、を有する。
【００４５】
仕切板５１が発光ケース４１に取付けられている状態において、左フック部５１ｅは、左前支持面４８ｃと略平行で左前支持面４８ｃに当接可能な左前受面５１ｇを有し、右フック部５１ｆは、右前支持面４８ｄと略平行で右前支持面４８ｄに当接可能な右前受面５１ｈを有している。左フック部５１ｅ及び右フック部５１ｆは、左右に弾性変形する板ばねとして形成されており、左フック部５１ｅ及び左支持形成部分４８ａ、並びに、右フック部５１ｆ及び右支持形成部分４８ｂが、それぞれスナップフィットを構成し、仕切板５１が第１支持部４５に着脱可能に支持される。具体的には、仕切板５１が発光ケース４１から取外されている状態において、仕切板５１が図６（Ａ）のＤ方向へ移動しながら第１支持部４５の支持溝４５ｄ（図５（Ａ）参照）に挿入されると、左フック部５１ｅの後端が右方へ、右フック部５１ｆの後端が左方へ変位しながら、左フック部５１ｅ及び右フック部５１ｆが変形する。左前受面５１ｇが左前支持面４８ｃより後方に到達し、右前受面５１ｈが右前支持面４８ｄより後方に到達すると、変形していた左フック部５１ｅ及び右フック部５１ｆが復元し、仕切板５１の発光ケース４１への取付けが完了し、仕切板５１が第１支持部４５に支持される。
【００４６】
このように、仕切板５１が第１支持部４５に支持されている状態において、仕切板５１は、左前受面５１ｇが左前支持面４８ｃに当接することにより仕切板５１の左端部の前方への移動が規制され、右前受面５１ｈが右前支持面４８ｄに当接することにより仕切板５１の右端部の前方への移動が規制され、仕切板５１の後端面５１ｂが底板４３の前面４３ａに当接することにより後方への移動が規制され、仕切板５１の左端面５１ｃが左支持面４８ｅに当接することにより左方への移動が規制され、仕切板５１の右端面５１ｄが右支持面４８ｆに当接することにより右方への移動が規制され、仕切板５１の上面が上支持板４５ａの下面に当接することにより上方への移動が規制され、仕切板５１の下面が下支持板４５ｂ（図５（Ａ）参照）の上面に当接することにより上方への移動が規制される。
【００４７】
また、仕切板５１は、第１支持部４５に支持されている状態において、発光ケース４１のリブ４５ｃに係合する係合溝５１ｉが形成されている。これは、例えば作業者が仕切板５１の上下を逆にして発光ケース４１に取付けようとした場合、仕切板５１の後端面５１ｂとリブ４５ｃが当接して取付けることができないように構成されている。これにより、仕切板５１は、発光ケース４１に対して、図６（Ａ）に示す予め定められた向きのみで取付けが可能となっている。
【００４８】
なお、第１支持形成部分４８について上述した内容は、第２支持形成部分４９と同一の構成であるため、第１支持形成部分４８と同様な第２支持形成部分４９についての説明は、図に同一符号を付して省略する（図６（Ｂ）参照）。
【００４９】
４．各部の寸法について
続いて、本実施形態に係る発光ユニット３１の各部の寸法の詳細について図４、図７及び図８を用いて説明する。図７は、本実施形態における上扉ユニット６０Ｕを示す図で、（Ａ）は図７（Ｂ）のＣ−Ｃ断面図、（Ｂ）は上扉ユニット６０Ｕの正面図、図８は、本実施形態における発光ケース４１を示す断面図で、（Ａ）は発光ケース４１を示す図４のＡ−Ａ断面図、（Ｂ）は発光ケース４１を示す図４のＢ−Ｂ断面図である。
【００５０】
まず、発光ケース４１の側壁部４２の寸法について説明する。図７（Ａ）に示すように、リール枠２４は、遊技者がスロットマシン１（図１参照）に対向して着座した際の目線の高さＥより下方となるように配置されて、下端が前方、上端が後方となるように傾斜して配置され、遊技者が第１リールＲ１〜第３リールＲ３（図１参照）を観察し易いように構成されている。これにより、リール枠２４は、リール下壁２４ｂよりリール上壁２４ａの奥行き方向の寸法が大きくなるように形成されている。
【００５１】
また、図７（Ｂ）に示すように、正面視において、リール開口２５は略長方形に形成されていると共に、リール上壁２４ａは後端より前端が上方となるように、リール下壁２４ｂは後端より前端が下方となるように、リール左壁２４ｃは後端より前端が左方となるように、リール右壁２４ｄは後端より前端が右方となるように、配置されている。これにより、リール枠２４の前端縁は正面視において上方が広がるように上底が下底より長い逆台形状に形成され、遊技者が第１リールＲ１〜第３リールＲ３（図１参照）を観察する際における表示窓６３の左右方向の視野角を拡大し、第１リールＲ１〜第３リールＲ３の視認性を向上している。
【００５２】
上記の結果、リール左壁２４ｃの前端縁２４ｅと略並行となるように形成されている右板４７ｄの前端縁４２ａは上端が左方へ傾斜して配置されるので、側壁部４２において、左板４７ｃに対して右板４７ｄは、上方側が近づいてかつ下方側が離間するように傾斜して配置される。即ち、左板４７ｃに対して右板４７ｄは、第１支持部４５に支持された仕切板５１に平行な仮想平面Ｐ１に交差する方向、即ち上下方向としてのＵ方向の一方側が近づくように傾斜して配置されているといえる。また、これにより、側壁部４２は、導光空間Ｓが、仕切板５１により第１仕切位置Ｘ（仮想平面Ｐ１）で仕切られる第１断面Ｃ１（図８（Ａ）のハッチング部分）より、仕切板５１により第２仕切位置Ｙ（仮想平面Ｐ２）で仕切られる第２断面Ｃ２（図８（Ｂ）のハッチング部分）は大きくなるように形成され、正面視において前端縁４２ａが下方に広がる台形状に形成される。
【００５３】
続いて、発光ケース４１の第１支持部４５及び第２支持部４６の寸法について説明する。図８（Ａ）及び（Ｂ）に示すように、第１支持部４５の左前支持面４８ｃから底板４３の前面４３ａまでの距離Ｌ１２と、第２支持部４６の左前支持面４８ｃから底板４３の前面４３ａまでの距離Ｌ２２と、は略同一寸法となるように形成されている。また、第１支持部４５の右前支持面４８ｄから底板４３の前面４３ａまでの距離Ｌ１３と、第２支持部４６の右前支持面４８ｄから底板４３の前面４３ａまでの距離Ｌ２３と、は略同一寸法となるように形成されている。また、第１支持部４５の左支持面４８ｅから右支持面４８ｆまでの距離Ｌ１４は、第２支持部４６の左支持面４８ｅから右支持面４８ｆまでの距離Ｌ２４と、は略同一寸法となるように形成されている。また、第１支持部４５の支持溝４５ｄの幅Ｌ１１と、第２支持部４６の支持溝４５ｄの幅Ｌ２１と、は略同一寸法となるように形成されている（図４参照）。
【００５４】
このように、発光ケース４１に取付けられている仕切板５１（図６（Ａ）、（Ｂ）参照）が当接可能な部分の寸法である、距離Ｌ１２と距離Ｌ２２、距離Ｌ１３と距離Ｌ２３、距離Ｌ１４と距離Ｌ２４及び幅Ｌ１１と幅Ｌ２１が、それぞれ略同一寸法であるので、第１支持部４５及び第２支持部４６は、仕切板５１を支持する支持形状が同サイズとなるように形成されているといえる。なお、本実施の形態において、同サイズとは、必ずしも同一形状、同一寸法でなくてもよく、例えば製造誤差に起因する寸法差（例えばＪＩＳ  Ｂ  ０４０５−１９９１粗級以内の寸法差）があってもよいし、第１支持部４５及び第２支持部４６と仕切板５１とが互いに当接可能でない部分の形状や寸法は同一でないものであってもよい。
【００５５】
また、第１支持形成部分４８の左支持形成部分４８ａは、空間形成部分４７より外方へ突出するように形成されている。なお、この場合における外方とは、導光空間Ｓの中心部から側壁部４２へ向かう方向であり、第１支持形成部分４８の左支持形成部分４８ａにおいては、左方を意味する。これにより、第１断面Ｃ１と第２断面Ｃ２とが異なる面積でありながら、第１支持形成部分４８及び第２支持形成部分４９において、各部の寸法を略同一に形成することを可能とし、第１支持部４５及び第２支持部４６の何れにおいても同サイズの仕切板５１（図６（Ａ）、（Ｂ）参照）を着脱可能に支持することを可能としている。なお、本実施の形態において、略鉛直、略平行、略一致及び略同一とは、必ずしも鉛直、平行、一致及び同一でなくてもよく、例えば製造誤差に起因する寸法差や射出成形のための抜き勾配等に起因する角度差があってもよいし、機能上の問題が生じない程度の差を許容するものである。
【００５６】
５．仕切板の取付けパターンについて
スロットマシン１を生産する際、作業者は、仕切板５１を第１支持部４５及び第２支持部４６に対して選択的に取付けることができ、第１支持部４５及び第２支持部４６の両方に仕切板５１を取付けてもよいし、第１支持部４５及び第２支持部４６の何れか一方に仕切板５１を取付けてもよいし、第１支持部４５及び第２支持部４６の何れにも仕切板５１を取付けないこととしてもよい。第１支持部４５及び第２支持部４６に取付けられている仕切板５１により導光空間Ｓが仕切られることにより、正面パネル３４のパネル部３４ａは、ＬＥＤチップ３６ｂ〜ＬＥＤチップ３６ｄが発光する際に可視光が透過する発光領域３４ｂ〜発光領域３４ｄに分けられる（図７（Ｂ）参照）。
【００５７】
図９は、本実施形態における仕切板５１の取付けパターンを示す前方側から視た斜視図で、（Ａ）〜（Ｄ）はそれぞれ異なる取付けパターンを示す斜視図である。図９（Ａ）に示すように、仕切板５１が、発光ケース４１の第１支持部４５及び第２支持部４６の両方に取付けられている場合、ＬＥＤチップ３６ｂからの可視光は正面パネル３４のパネル部３４ａに形成される発光領域３４ｂを照明し、ＬＥＤチップ３６ｃからの可視光は正面パネル３４のパネル部３４ａに形成される発光領域３４ｃを照明し、ＬＥＤチップ３６ｄからの可視光は正面パネル３４のパネル部３４ａに形成される発光領域３４ｄを照明し、ＬＥＤチップ３６ｂ〜ＬＥＤチップ３６ｄのそれぞれからの可視光が他の発光領域を照明しないように構成される。これにより、ＬＥＤチップ３６ｂ〜ＬＥＤチップ３６ｄをそれぞれ独立して発光させることで、発光領域３４ｂ〜発光領域３４ｄをそれぞれ独立して照明することができる。
【００５８】
図９（Ｂ）に示すように、仕切板５１が、発光ケース４１の、第１支持部４５には取付けられず、第２支持部４６に取付けられている場合、ＬＥＤチップ３６ｂ又はＬＥＤチップ３６ｃからの可視光は正面パネル３４のパネル部３４ａに形成される発光領域３４ｂ及び発光領域３４ｃを照明し、ＬＥＤチップ３６ｄからの可視光は正面パネル３４のパネル部３４ａに形成される発光領域３４ｄを照明するように構成される。これにより、ＬＥＤチップ３６ｂ及びＬＥＤチップ３６ｃを発光させることで、仕切板５１の影を作ることなく発光領域３４ｂ及び発光領域３４ｃを効率的に照明することができる。また、ＬＥＤチップ３６ｄを、ＬＥＤチップ３６ｂ及びＬＥＤチップ３６ｃとは独立して発光させることで、発光領域３４ｂ及び発光領域３４ｃと、発光領域３４ｄと、を独立して照明することができる。
【００５９】
図９（Ｃ）は、仕切板５１が、発光ケース４１の、第２支持部４６には取付けらず、第１支持部４５には取付けられている場合を示す斜視図であるが、図９（Ｂ）の場合と比較して仕切板５１が取付けられている場所が第１支持部４５であるか第２支持部４６であるかが異なるのみであるので、説明は省略する。
【００６０】
また、図９（Ｄ）に示すように、仕切板５１が発光ケース４１の第１支持部４５及び第２支持部４６の何れにも取付けられていない場合、ＬＥＤチップ３６ｂ〜ＬＥＤチップ３６ｄの何れかからの可視光は正面パネル３４のパネル部３４ａに形成される発光領域３４ｂ〜発光領域３４ｄを照明するように構成される。この場合は、発光領域３４ｂ〜発光領域３４ｄをそれぞれ独立して照明することはできない。
【００６１】
６．本実施形態のまとめ
以上説明した本実施形態に係るスロットマシン１は、発光ケース４１が、導光空間Ｓを仕切る着脱可能な仕切板５１を支持する第１支持部４５及び第２支持部４６を有しており、また、第１支持部４５及び第２支持部４６は、第１支持部４５及び第２支持部４６に支持された仕切板５１により導光空間Ｓを仕切る第１断面Ｃ１及び第２断面Ｃ２が異なる面積でありながら、支持形状が同サイズに形成されている。これにより、導光空間Ｓの断面が多様な形状を有する電飾装置においても、印刷シート３３のデザインや発光源の発光態様が異なるスロットマシン１間において発光ケース４１及び仕切板５１を部品として共通化することができる。また、スロットマシン１のデザイン性が損なわれることを防止して、スロットマシン１の興趣が低下することを防止することができる。
【００６２】
また、第１支持形成部分４８は、導光空間Ｓを形成する空間形成部分４７より外方へ突出するように形成されているので、第１断面Ｃ１より面積が大きな第２断面Ｃ２で仕切る第２仕切位置Ｙにおいて仕切板５１の大きさが不足することを防止することができる。
【００６３】
また、左支持面４８ｅは、左板４７ｃの右面４７ｅより内方に突出しないように、右支持面４８ｆは、右板４７ｄの左面４７ｆより内方に突出しないように構成することができるので、仕切板５１と左板４７ｃ及び右板４７ｄとの左右方向の隙間の発生を防止することができる。
【００６４】
また、左板４７ｃに対して右板４７ｄは、第１支持部４５に支持された仕切板５１に平行な仮想平面Ｐ１に交差する方向の一方側が近づくように傾斜して配置されているので、導光空間Ｓの断面形状が徐々に変化する場合でも、印刷シート３３のデザインや発光源の発光態様が異なるスロットマシン１間において発光ケース４１及び仕切板５１を共通化することができる。
【００６５】
また、側壁部４２は、第１支持形成部分４８の左支持形成部分４８ａが左板４７ｃから左方に突出しているが、右板４７ｄからリール枠２４側には突出していない。このため、側壁部４２の右板４７ｄとリール左壁２４ｃとを近接して配置してデザイン性の向上が可能であり、またデザイン性を確保するために右板４７ｄとリール左壁２４ｃとを近接して配置してもリール左壁２４ｃの傾斜角に影響しないので、第１リールＲ１〜第３リールＲ３の視認性が確保できる。
【００６６】
また、拡散シート３２、印刷シート３３及び正面パネル３４は、発光ユニット３１と下部カバー２２とにより狭持されて固定されており、発光ユニット３１に固定されていない。このため、印刷シート３３のデザインや発光源の発光態様が異なるスロットマシン１間で発光ユニット３１を部品として共通化する際に、発光ユニット３１を下部カバー２２に取付ける前であれば容易に仕切板５１の着脱や印刷シート３３の交換を行うことができ、在庫管理の手間を省くことができる。また、発光ユニット３１が枠体２１に取付けられる場合と比較して、発光ユニット３１と下部カバー２２との間に隙間が発生しにくいので、防犯性を向上することができる。
【００６７】
また、底支持板４５ｅは、底板４３の前面４３ａから前方ヘ向けて連続的に延設されているので、仕切板５１と底板４３との間に光漏れが発生することを防止することができる。
【００６８】
７．変形例
本実施形態においては、透過部３３ｂは、印刷シート３３の可視光を透過する部分とし、遮光部３３ｃは、印刷シート３３の前面３３ａに印刷された文字や図形等で可視光を遮光する部分としたが、これに限定されない。透過部３３ｂと遮光部３３ｃは拡散シート３２や正面パネル３４に形成されていてもよいし、遮光部３３ｃは拡散シート３２、印刷シート３３又は正面パネル３４の後面に印刷された文字や図形等であってもよい。また、印刷シート３３以外に遮光部３３ｃが形成されている場合は、印刷シートは備えていないものであってもよい。また、正面パネル３４は複数の部品から構成されていてもよいし、拡散シート３２や印刷シート３３は複数枚あってもよいし、下部カバー２２と正面パネル３４が一体的に形成されていてもよい。
【００６９】
また、本実施形態においては、第１発光源としてのＬＥＤチップ３６ｂと第２発光源としてのＬＥＤチップ３６ｃとの間（第１仕切位置Ｘ）、第２発光源としてのＬＥＤチップ３６ｃと第３発光源としてのＬＥＤチップ３６ｄとの間（第２仕切位置Ｙ）を、仕切板５１によって仕切ることとしたが、これに限定されない。発光ユニット３１は、第１仕切位置Ｘ及び第２仕切位置Ｙとは異なる第３仕切位置を設けるように構成してもよいし、更に多くの仕切位置を設けるように構成してもよい。その場合、必ずしも同一の仕切板が全ての仕切位置に取付けられるものであるものに限定されず、発光ユニット３１は、少なくとも２箇所の仕切位置において同一の仕切板が取付けられるように構成されていればよい。
【００７０】
また、本実施形態においては、発光ユニット３１と下部カバー２２とにより、拡散シート３２、印刷シート３３及び正面パネル３４を狭持されることとしたが、これに限定されない。拡散シート３２、印刷シート３３及び正面パネル３４は発光ユニット３１に固定されて、電飾装置３０がユニット化されていてもよいし、発光ユニット３１は、枠体２１に固定されていてもよい。
【００７１】
また、本実施形態においては、左板４７ｃに対して右板４７ｄは、上方側が近づいてかつ下方側が離間するように傾斜して配置されていることとしたが、これに限定されない。左板４７ｃに対して右板４７ｄは、上方側が離間してかつ下方側が近づくように傾斜して配置されていてもよい。
【００７２】
また、本実施形態においては、空間形成部分４７は、上板４７ａ、下板４７ｂ、左板４７ｃ及び右板４７ｄを有することとしたが、これに限定されない。空間形成部分４７は、正面視において楕円形であってもよいし三角形であってもよいし、第１仕切位置Ｘにおける導光空間Ｓの第１断面Ｃ１と、第２仕切位置Ｙにおける導光空間Ｓの第２断面Ｃ２と、が異なる断面積となるあらゆる形状が考えられる。
【００７３】
また、本実施形態においては、導光空間Ｓは、第１仕切位置Ｘ及び第２仕切位置Ｙにおいて仕切板５１によって上下に仕切られることとしたが、これに限定されない。導光空間Ｓは仕切板５１によって左右に仕切られることとしてもよいし、斜め方向に仕切られることとしてもよい。
【００７４】
また、本実施形態においては、発光ケース４１は、底板４３を有することとしたが、これに限定されない。発光ケース４１は、導光空間Ｓを形成すると共に、仕切板５１の後方、上方及び下方への移動を規制可能であるものであればよい。例えば、導光空間Ｓの後端は発光基板３６の前面３６ａにより形成し、第１支持形成部分４８及び第２支持形成部分４９によって仕切板５１の上方及び下方への移動を、発光基板３６によって後方への移動を規制してもよい。その場合、発光基板３６の前面３６ａは可視光を反射しやすい色（例えば白）とすることが望ましい。
【００７５】
また、本実施形態においては、発光ケース４１に取付けられている状態において、仮想平面Ｐ３と仕切板５１の前端面５１ａとは略一致することとしたが、これに限定されない。発光ケース４１に取付けられている状態において、仮想平面Ｐ３と仕切板５１の前端面５１ａとは、遊技者が、実質的に導光空間Ｓが仕切られていると判断する程度（例えば３ｍｍ以内）の隙間が形成されていてもよい。
【００７６】
また、本実施形態においては、仕切板５１は、第１支持部４５及び第２支持部４６にスナップフィットで取付けられると共に、上述した第１支持部４５及び第２支持部４６の各部に当接することにより移動が規制されることとしたが、これに限定されない。例えば、第１支持部４５及び第２支持部４６は、仕切板５１の移動を規制する構成の一部又は全部がねじ固定によるものであってもよいし、仕切板５１の左端部又は右端部の何れか一方のみにフック部が形成されていてもよいし、摩擦力により仕切板５１の前後方向の移動を規制するものでもよいし、その他の第１支持部及び第２支持部に同一の仕切板５１が着脱可能に支持できるものでもよい。
【００７７】
また、本実施形態においては、側壁部４２は、第１支持部４５及び第２支持部４６を形成する第１支持形成部分４８及び第２支持形成部分４９を有することとしたが、これに限定されない。例えば、第１支持部４５及び第２支持部４６は、底板４３のみに形成されていてもよく、底板４３に形成されている上支持板４５ａ及び下支持板４５ｂにより仕切板５１の上方及び下方への移動を規制し、前方への移動を拡散シート３２又は正面パネル３４により規制することとしてもよい。
【００７８】
また、本実施形態においては、第１支持部４５は、第１支持形成部分４８の左支持形成部分４８ａが、空間形成部分４７より左方へ突出するように形成されていることとしたが、これに限定されない。第１支持形成部分４８の右支持形成部分４８ｂが右方へ突出するように形成されていてもよいし、第１支持形成部分４８の左支持形成部分４８ａ及び右支持形成部分４８ｂがそれぞれ左方及び右方へ突出するように形成されていてもよいし、第２支持形成部分４９の左支持形成部分４８ａ及び右支持形成部分４８ｂの何れか又は両方がそれぞれ左方、右方へ突出するように構成されていてもよい。
【００７９】
また、本実施形態においては、発光基板３６に設置されているＬＥＤチップ３６ｂ〜ＬＥＤチップ３６ｄは、全てが独立して発光可能であることとしたが、これに限定されない。仕切板５１が取付けられている場合に、仕切板５１の上下のＬＥＤチップが独立して発光可能であればよく、例えば、第１支持部４５に仕切板５１が取付けられていない場合は、ＬＥＤチップ３６ｂとＬＥＤチップ３６ｃとは従属的に発光するように制御されてもよいし、第２支持部４６に仕切板５１が取付けられていない場合は、ＬＥＤチップ３６ｃとＬＥＤチップ３６ｄとは従属的に発光するように制御されてもよい。また、仕切板５１の取付け態様によらず、ＬＥＤチップ３６ｂに含まれる３個のＬＥＤチップはそれぞれ従属的に発光するように制御されてもよいし、ＬＥＤチップ３６ｃ及びＬＥＤチップ３６ｄにおいても同様である。
【００８０】
また、本実施形態では遊技機としてのスロットマシン１を一例として説明したが、本発明は弾球遊技機等のパチンコ機を含む各種の遊技機に適用可能であり、例えばパチンコ機における遊技盤に配置された電飾装置、役物を照明する電飾装置、ガラス板の外部にあって上方部分や側方部分に配置される電飾装置、上皿や下皿等に配置される電飾装置など、どのようなものにも適用可能である。
【符号の説明】
【００８１】
１      遊技機（スロットマシン）
３０    電飾装置
３３    印刷シート（透過板）
３３ｂ  透過部
３６    発光基板
３６ｂ  ＬＥＤチップ（第１発光源）
３６ｃ  ＬＥＤチップ（第２発光源）
３６ｄ  ＬＥＤチップ（第３発光源）
４１    発光ケース（ケース部材）
４２    側壁部
４５    第１支持部
４６    第２支持部
４７    空間形成部分
４７ｃ  左板（第１側板）
４７ｄ  右板（第２側板）
４８    第１支持形成部分
５１    仕切板
５１ｂ  後端面（端部）
５１ｃ  左端面（端部）
５１ｄ  右端面（端部）
Ｃ１    第１断面
Ｃ２    第２断面
Ｐ１    仮想平面（平行面）
Ｓ      導光空間
Ｕ      上下方向（平行面に交差する方向）
Ｘ      第１仕切位置
Ｙ      第２仕切位置
【図１】
2019037391.tif 000003
【図２】
2019037391.tif 000004
【図３】
2019037391.tif 000005
【図４】
2019037391.tif 000006
【図５】
2019037391.tif 000007
【図６】
2019037391.tif 000008
【図７】
2019037391.tif 000009
【図８】
2019037391.tif 000010
【図９】
2019037391.tif 000011